(57)【要約】【課題】  コストや時間を低減しながら、多用なパターンを潜像として用いて、簡易に真偽を判定することのできる画像表示媒体、合成画像表示データの作成方法及び画像生成システムを提供する。【解決手段】  印刷物１０のカラー画像は、例えばＣＭＹＫ方式の各色要素（シアン、マゼンタ、イエロ、ブラック）を有し、線形性がある楕円形状をした複数の網点により構成される。この画像を、レンチキュラーレンズ１６を用いて眺めてみると、表示画像に応じた太い縦縞のモアレ模様と、潜像用画像に応じた細い斜縞のモアレ模様とが出現する。【選択図】      図１
2007068032.tif 000002
【特許請求の範囲】
【請求項１】
第１の線形性を有する網点により構成された表示画像と、第２の線形性を有する網点により構成され、前記表示画像に埋め込む潜像用画像とを合成した合成画像を網点により表示する画像表示媒体であって、
前記表示画像及び前記潜像用画像を構成する網点が、共通光学系により前記第１及び第２の線形性を増大されて異なるモアレ模様を出現させるように配置されていることを特徴とする画像表示媒体。
【請求項２】
前記合成画像は、複数の前記潜像用画像が埋め込まれているとともに、複数の色要素の網点から構成されており、
前記潜像用画像のそれぞれは、異なる色要素の網点から構成されており、
これらの潜像用画像の網点は、前記共通光学系により異なる色のモアレ模様が出現されるように配置されていることを特徴とする請求項１に記載の画像表示媒体。
【請求項３】
前記モアレ模様は、線形状のモアレ縞であることを特徴とする請求項１又は２に記載の画像表示媒体。
【請求項４】
前記線形状は、直線、曲線、波線又はこれらの組み合わせ形状であることを特徴とする請求項３に記載の画像表示媒体。
【請求項５】
前記第１の線形性を有した網点及び第２の線形性を有した網点は、楕円形、円形、長方形、ダイヤ形、多角形又はこれらの組み合わせ形状であることを特徴とする請求項１〜４のいずれか１項に記載の画像表示媒体。
【請求項６】
前記共通光学系は、前記線形性を増大させることができるレンズであって、シリンドリカルレンズ、楕円形レンズ、四角錐レンズ、多角形レンズのいずれか１種類又はこれらを組み合わせて複数並べて構成したレンズであることを特徴とする請求項１〜５のいずれか１項に記載の画像表示媒体。
【請求項７】
前記画像表示媒体は、印刷物、ディスプレイ、液晶パネル又は電子ペーパーであることを特徴とする請求項１〜６のいずれか１項に記載の画像表示媒体。
【請求項８】
第１の線形性を有する網点により構成された表示画像と、第２の線形性を有する網点により構成され、前記表示画像に埋め込む潜像用画像とを合成した合成画像を網点により表示する画像表示媒体に表示させる画像生成システムを用いた合成画像表示データの作成方法であって、
前記画像生成システムが、
前記表示画像の画像データに基づいて、共通光学系により前記第１の線形性を増大されて第１モアレ模様が表示されるように、前記第１の線形性を有する前記網点を配置させるための第１データを生成する第１段階、
前記潜像用画像の画像データに基づいて、前記共通光学系により前記第２の線形性を増大されて第１モアレ模様とは異なる第２モアレ模様が表示されるように、前記第２の線形性を有する前記網点を配置させるための第２データを生成する第２段階、及び
前記第１及び前記第２データに基づいて、前記画像表示媒体に前記合成画像を表示させるための合成画像データを生成する第３段階
を実行することを特徴とする合成画像表示データの作成方法。
【請求項９】
第１の線形性を有する網点により構成された表示画像と、第２の線形性を有する網点により構成され、前記表示画像に埋め込む潜像用画像とを合成した合成画像を網点により表
示する画像表示媒体に表示させるための画像生成システムであって、
前記表示画像の画像データに基づいて、共通光学系により前記第１の線形性を増大されて第１モアレ模様が表示されるように、前記第１の線形性を有する前記網点を配置させるための第１データを生成する第１手段と、
前記潜像用画像の画像データに基づいて、前記共通光学系により前記第２の線形性を増大されて第１モアレ模様とは異なる第２モアレ模様が表示されるように、前記第２の線形性を有する前記網点を配置させるための第２データを生成する第２手段と、
前記第１及び前記第２データに基づいて、前記画像表示媒体に前記合成画像を表示させるための合成画像データを生成する第３手段と、
を備えたことを特徴とする画像生成システム。
【請求項１０】
前記第３手段が生成した合成画像データを印刷データに変換し、この印刷データに基づいて印刷装置に画像表示媒体を印刷させる印刷実行手段を更に備えたことを特徴とする請求項９に記載の画像生成システム。
【発明の詳細な説明】
【技術分野】
【０００１】
本発明は、表示画像と潜像とを合成した合成画像を表示するための画像表示媒体、合成画像表示データの作成方法及び画像生成システムに関する。
【背景技術】
【０００２】
近年の技術発達により、原本と、内容が追加や削除された贋物とを見分けることが難しくなってきている。そこで、真贋の識別をより確実に行なうために、一般的な紙において、偽造や改竄を検知することが可能な画像処理装置が開示されている（例えば、特許文献１参照。）。特許文献１に記載の発明では、文字情報に依存して生成する背景パターンを、文字部分とは接触しないように生成する。これにより、内容の追加や削除を容易に判別することができるとしている。
【０００３】
一方、社員証や証券などは、複写による偽造を防止する必要がある。これらの印刷物においては、複写すると潜像が浮かび上がるようにする技術がある。具体的には、原本では、肉眼では認識されない色等により潜像を表示し、複写された場合には複写であることを示す文字が明確に表示される。このような技術において、特に、真偽の判定を容易に行なうことのできるドットパターン表示媒体についての技術も開示されている（例えば、特許文献２参照。）。特許文献２に記載の発明では、レンズアレイのレンズのピッチと同じピッチを有する少なくとも２種類以上の色のドットからなるドットパターンを設ける。そして、レンズアレイを焦点位置に合わせることにより第１の文字が現れ、別の焦点位置に合わせることにより第２の文字が現れるようにしている。すなわち、レンズアレイをずらすことにより、第１の文字と第２の文字と表示させることができる。また、スクリーン線数が３００ｌｐｉ（lines per inch）以上の網点で構成されたドットパターンは、通常の複写機では解像できずにパターンが潰れてしまう。これにより、原本であるか複写された印刷物であるかを、ドットパターンから構成される文字の状態により判定することができるとしている。
【特許文献１】特開２００１−３５８９３１号公報（図４）
【特許文献２】特開２００１−３２４９４９号公報（図３、図６）
【発明の開示】
【発明が解決しようとする課題】
【０００４】
しかし、この特許文献２に記載の技術では、真偽を判別するためには、３００ｌｐｉ以上の網点で文字を形成しなければならない。このため、細かい網点で潜像を構成するため、コストや手間がかかり、普及している複写機やプリンタなどで簡単に作成することは難しく、同一の印刷物を多量に作成するような場合にしか潜像を埋め込むことができなかった。また、この特許文献２に記載の技術では、ドットパターンが潰れることにより真偽を判別するため、パターンの模様であるのか潰れた結果であるのかの判定が難しい複雑なパターンは用いることはできなかった。
【０００５】
本発明は、上述の課題に鑑みてなされ、その目的は、コストや時間を低減しながら、多用なパターンを潜像として用いて、簡易に真偽を判定することのできる画像表示媒体、合成画像表示データの作成方法及び画像生成システムを提供することにある。
【課題を解決するための手段】
【０００６】
上記問題点を解決するために、請求項１に記載の発明は、第１の線形性を有する網点により構成された表示画像と、第２の線形性を有する網点により構成され、前記表示画像に埋め込む潜像用画像とを合成した合成画像を網点により表示する画像表示媒体であって、
前記表示画像及び前記潜像用画像を構成する網点が、共通光学系により前記第１及び第２の線形性を増大されて異なるモアレ模様を出現させるように配置されていることを要旨とする。
【０００７】
請求項２に記載の発明は、請求項１に記載の画像表示媒体において、前記合成画像は、複数の前記潜像用画像が埋め込まれているとともに、複数の色要素の網点から構成されており、前記潜像用画像のそれぞれは、異なる色要素の網点から構成されており、これらの潜像用画像の網点は、前記共通光学系により異なる色のモアレ模様が出現されるように配置されていることを要旨とする。
【０００８】
請求項３に記載の発明は、請求項１又は２に記載の画像表示媒体において、前記モアレ模様は、線形状のモアレ縞であることを要旨とする。
請求項４に記載の発明は、請求項３に記載の画像表示媒体において、前記線形状は、直線、曲線、波線又はこれらの組み合わせ形状であることを要旨とする。
【０００９】
請求項５に記載の発明は、請求項１〜４のいずれか１項に記載の画像表示媒体において、前記第１の線形性を有した網点及び第２の線形性を有した網点は、楕円形、円形、長方形、ダイヤ形、多角形又はこれらの組み合わせ形状であることを要旨とする。
【００１０】
請求項６に記載の発明は、請求項１〜５のいずれか１項に記載の画像表示媒体において、前記共通光学系は、前記線形性を増大させることができるレンズであって、シリンドリカルレンズ、楕円形レンズ、四角錐レンズ、多角形レンズのいずれか１種類又はこれらを組み合わせて複数並べて構成したレンズであることを要旨とする。
【００１１】
請求項７に記載の発明は、請求項１〜６のいずれか１項に記載の画像表示媒体において、前記画像表示媒体は、印刷物、ディスプレイ、液晶パネル又は電子ペーパーであることを要旨とする。
【００１２】
請求項８に記載の発明は、第１の線形性を有する網点により構成された表示画像と、第２の線形性を有する網点により構成され、前記表示画像に埋め込む潜像用画像とを合成した合成画像を網点により表示する画像表示媒体に表示させる画像生成システムを用いた合成画像表示データの作成方法であって、前記画像生成システムが、前記表示画像の画像データに基づいて、共通光学系により前記第１の線形性を増大されて第１モアレ模様が表示されるように、前記第１の線形性を有する前記網点を配置させるための第１データを生成する第１段階、前記潜像用画像の画像データに基づいて、前記共通光学系により前記第２の線形性を増大されて第１モアレ模様とは異なる第２モアレ模様が表示されるように、前記第２の線形性を有する前記網点を配置させるための第２データを生成する第２段階、及び前記第１及び前記第２データに基づいて、前記画像表示媒体に前記合成画像を表示させるための合成画像データを生成する第３段階を実行することを要旨とする。
【００１３】
請求項９に記載の発明は、第１の線形性を有する網点により構成された表示画像と、第２の線形性を有する網点により構成され、前記表示画像に埋め込む潜像用画像とを合成した合成画像を網点により表示する画像表示媒体に表示させるための画像生成システムであって、前記表示画像の画像データに基づいて、共通光学系により前記第１の線形性を増大されて第１モアレ模様が表示されるように、前記第１の線形性を有する前記網点を配置させるための第１データを生成する第１手段と、前記潜像用画像の画像データに基づいて、前記共通光学系により前記第２の線形性を増大されて第１モアレ模様とは異なる第２モアレ模様が表示されるように、前記第２の線形性を有する前記網点を配置させるための第２データを生成する第２手段と、前記第１及び前記第２データに基づいて、前記画像表示媒体に前記合成画像を表示させるための合成画像データを生成する第３手段と、を備えたこ
とを要旨とする。
【００１４】
請求項１０に記載の発明は、請求項９に記載の画像生成システムにおいて、前記第３手段が生成した合成画像データを印刷データに変換し、この印刷データに基づいて印刷装置に画像表示媒体を印刷させる印刷実行手段を更に備えたことを要旨とする。
【００１５】
（作用）
本発明によれば、表示画像と潜像用画像とを網点で構成するため、通常の状態では、合成画像にはモアレ模様が出現しない。従って、表示画像と潜像用画像との区別が付かず、偽造防止のための潜像を容易に把握することはできない。一方、共通光学系を用いると、表示画像及び潜像用画像のそれぞれに応じたモアレ模様が、光学系をずらすことなく一度に出現するため、表示画像と潜像用画像との区別ができる。また、表示画像及び潜像用画像は、それぞれ対応するモアレ模様が異なるため、潜像をより明確に区別でき、複雑なパターンで潜像を形成しても、効率よく潜像用画像を把握することができる。更に、モアレ模様を用いて潜像用画像をより明確に区別できるため、例えば多くの文字が書かれた文書などの多用なパターンを潜像として入れることができる。また、複写機やプリンタを用いて、間隔が大きい粗い網点を作成し、これを用いても潜像用画像を把握できるので、偽造回避のためのコストや時間を低減することができる。
【００１６】
本発明によれば、合成画像に埋め込まれている潜像用画像のそれぞれは、異なる色要素の網点から構成されており、異なる色のモアレ模様が出現する。このため、複数の潜像用画像を埋め込んだとしても、それぞれの潜像用画像を色により区別することができる。従って、複数の潜像用画像に基づいて、画像表示媒体の真偽を、より確実に判別することができる。
【００１７】
本発明によれば、モアレ模様は、線形状のモアレ縞である。このため、モアレ模様が不連続になったり消失したりしている部分を効率よく把握することができる。複写機等で複写されて網点が線形性を失うと、モアレ模様が不連続になったり消失したりするため潜像を確認できない。従って、モアレ模様が確認できない部分を認識することにより、複写されたものであるか否かの判定を効率よく行なうことができる。
【００１８】
本発明によれば、線形状は、直線、曲線、波線又はこれらの組み合わせ形状であるので、線形状のモアレ縞を実現することができる。
本発明によれば、第１及び第２の線形性を有した網点は、楕円形、円形、長方形、ダイヤ形、多角形又はこれらの組み合わせ形状であるので、網点は、共通光学系により前記第１及び第２の線形性を増大されて異なるモアレ模様を出現させることができる。
【００１９】
本発明によれば、共通光学系は、網点を、線形性を有した形状にできるレンズであって、シリンドリカルレンズ、楕円形レンズ、四角錐レンズ、多角形レンズのいずれか１種類又はこれらを組み合わせて複数並べて構成したレンズで実現することができる。
【００２０】
本発明によれば、画像表示媒体は、印刷物、ディスプレイ、液晶パネル又は電子ペーパーである。このため、印刷物やディスプレイ、携帯電話等の液晶パネルや電子ペーパーにおいて、表示画像と潜像用画像とから構成される合成画像を表示することができる。
【００２１】
本発明によれば、画像処理システムは、表示画像及び潜像用画像の画像データから合成画像データを生成し、この合成画像データに基づいて、表示画像とこの表示画像に埋め込む潜像用画像とを合成した合成画像を網点により画像表示媒体に表示させる。このため、通常は、モアレ模様が出現せずに、偽造防止のための潜像を把握することが難しい画像表示媒体を生成することができる。また、網点の第１及び第２線形性を増大させる共通光学
系を用いた場合、表示画像と潜像用画像にそれぞれ対応した異なるモアレ模様が出現するため、表示画像と潜像用画像とを効率よく区別できる。従って、複雑なパターンを入れることができ、間隔が大きい粗い網点を用いて潜像用画像を表すこともできる。
【００２２】
本発明によれば、画像処理システムは、合成画像データを印刷データに変換し、複写機やプリンタなどの印刷装置で画像表示媒体を簡単に印刷させる。表示画像媒体により表示した画像を複写機で複写する場合には、その画像が歪むため、網点が線形性を失う。従って、共通光学系を用いた場合、その合成画像のモアレ模様が不連続になったり消失したりすることになる。このため、原本であるかその複写物であるかという真偽判定を効率よく行なうことができる。
【発明の効果】
【００２３】
本発明によれば、多用なパターンを潜像とした画像を画像表示媒体に表示することにより、コストや時間を低減しながら、潜像を用いて真偽を判定することができる。
【発明を実施するための最良の形態】
【００２４】
以下、本発明を具体化した一実施形態を図１〜図３に基づいて説明する。
本実施形態においては、画像表示媒体として印刷物（紙）を用いる。図１（ａ）に示すように、この印刷物１０には、カラー画像が表示されている。このカラー画像は、例えばＣＭＹＫ方式の各色要素（シアン、マゼンタ、イエロ、ブラック）から構成され、線形性がある楕円形状をした複数の網点により構成されている。この図１（ａ）で表示される画像を、図２に示す共通光学系としてのレンチキュラーレンズ１６を用いて眺めてみると、図１（ｂ）に示すように表示画像に応じた太い縦縞のモアレ模様と、潜像用画像に応じた細い斜縞のモアレ模様とが出現する。
【００２５】
ここで、図２のレンチキュラーレンズ１６は、公知のように、シリンドリカルレンズ（円柱型レンズ）を１次元的に複数並べることにより構成されている。このため、シリンドリカルレンズの中央にある網点１１ａが拡大されて表示される一方、シリンドリカルレンズの境界部分に位置する網点１１ｂは表示されない。このため、シリンドリカルレンズの中央にある網点１１ａの配置によりモアレ模様を出現させることができる。なお、モアレの縞の傾きの角度や大きさ等は、網点の線数、角度、形状及び濃度等を調整して変更することができる。
【００２６】
また、図１（ａ）の画像は、図１（ｃ）に示す表示画像と、図１（ｄ）に示す潜像用画像とを合成して構成される。表示画像は、通常、背景パターン上に示された文字情報や人物画像、風景画像などであるが、ここでは、説明を容易にするため図１においては具体的な画像を入れていない。この図１（ｃ）に示す画像は、第１の線形性を有した網点で構成されており、レンチキュラーレンズ１６を用いて眺めてみると、第１の線形性が拡大されて図１（ｂ）に示すように、太い縦縞のモアレが出現する。
【００２７】
一方、潜像用画像は、真偽を判定するための文字等から構成されており、第２の線形性を有した網点で構成されている。本実施形態では、この図１（ｄ）に示す潜像用画像を、レンチキュラーレンズ１６を用いて眺めると、図１（ｆ）に示すように、第２の線形性が拡大されて細い斜め縞のモアレが出現する。なお、本実施形態では、この潜像用画像として「あ」という文字が埋め込まれている。すなわち、この「あ」という文字には潜像用画像に応じた細い斜め縞のモアレが出現するので、潜像であることを把握できる。
【００２８】
次に、本実施形態の画像を印刷物に表示させるデータを生成する画像生成システムとしてのコンピュータ端末２０について、図３を用いて説明する。
コンピュータ端末２０は、制御手段を備える。この制御手段は、図示しないＣＰＵ、Ｒ
ＡＭ及びＲＯＭ等を有し、後述する処理（第１段階、第２段階、第３段階及び印刷実行段階等を含む処理）を行なう。これにより、制御手段は、第１手段、第２手段、第３手段及び印刷実行手段等として機能する。
【００２９】
ここで、第１手段は、表示画像の画像データに基づいて、共通光学系により前記第１の線形性を増大されて第１モアレ模様が表示されるように、第１の線形性を有する前記網点を配置させるための第１データを生成する。第２手段は、前記潜像用画像の画像データに基づいて、前記共通光学系により前記第２の線形性を増大されて第１モアレ模様とは異なる第２モアレ模様が表示されるように、前記第２の線形性を有する前記網点を配置させるための第２データを生成する。第３手段は、前記第１及び前記第２データに基づいて、前記画像表示媒体に前記合成画像を表示させるための合成画像データを生成する。印刷実行手段は、第３手段が生成した合成画像データを印刷データに変換し、この印刷データに基づいて印刷装置に画像表示媒体を印刷させる。
【００３０】
更に、コンピュータ端末２０は、入力手段３０、出力手段４０及びデータ記憶手段５０を備えている。入力手段３０は、ユーザの指示を受け入れるものであり、具体的にはキーボードやマウスなどである。出力手段４０は、プリンタなどの印刷装置である。データ記憶手段５０には、潜像用画像についてのデータやモアレについてのデータ等が記録されている。
【００３１】
次に、画像表示媒体に画像を表示する処理について説明する。
まず、コンピュータ端末２０の制御手段は、表示画像の網点データの生成を行なう（ステップＳ１）。具体的には、コンピュータ端末２０は、まず入力手段３０を介してユーザにより表示画像として用いる画像を特定する。例えば、社員証を作成する場合などには、ユーザは、社員となる人物の顔写真の画像を、入力手段３０を介して指定する。コンピュータ端末２０は、指定された表示画像の画像データに基づいて、レンチキュラーレンズ１６を介して眺めたときに太い縞のモアレが出現するように網点データを生成する。
【００３２】
次に、コンピュータ端末２０の制御手段は、潜像用画像の網点データの生成を行なう（ステップＳ２）。具体的には、制御手段は、潜像用画像となるデータをデータ記憶手段５０から取得する。ここで、潜像用画像として、例えば、社員証などの場合には、その会社の社名等の文字を表した画像を用いる。そして、制御手段は、この文字データに基づいて、レンチキュラーレンズ１６を介して眺めたときに細い斜め縞のモアレが形成されるような網点データを生成する。
【００３３】
次に、コンピュータ端末２０の制御手段は、表示画像と潜像用画像の合成画像表示データを生成する（ステップＳ３）。具体的には、コンピュータ端末２０の制御手段は、生成した表示画像の網点データ及び潜像用画像の網点データを合わせた合成画像表示データを生成する。
【００３４】
次に、コンピュータ端末２０の制御手段は、生成した合成画像表示データに基づいて印刷データを生成する。そして、制御手段は、生成した印刷データを、出力手段４０としての印刷装置に送信して、印刷装置において印刷を行なう。これにより、図１（ａ）に示す印刷物が生成される。
【００３５】
本実施形態によれば、以下のような効果を得ることができる。
○  本実施形態では、印刷物１０には、線形性がある楕円形状の網点１１により構成される画像が表示されている。この画像を、レンチキュラーレンズ１６を用いて眺めてみると、表示画像に応じた太い縦縞のモアレ模様と、潜像に応じた細い斜縞のモアレ模様とが出現する。すなわち、表示画像に対応するモアレ模様と潜像に対応するモアレ模様とを網
点で構成するため、通常に合成画像を眺めるときにはモアレ模様が出現せず、偽造防止のための潜像を把握することはできない。一方、網点１１ａの線形性を増大させるレンチキュラーレンズ１６を介して合成画像を眺めると、表示画像及び潜像用画像のそれぞれに応じた異なるモアレ模様が出現するため、表示画像と潜像用画像との区別ができ、潜像を把握することができる。また、複雑なパターンを入れても、潜像を把握することができるため、多用なパターンを潜像用画像として入れることができる。更に、間隔が大きい粗い網点を用いて表現しても潜像を把握できるので、偽造回避のためのコストや手間を低減することができる。また、粗い網点を用いることができるので、通常の複写機やプリンタを用いて、潜像用画像を有する画像表示媒体を簡単に印刷することもできる。
【００３６】
○  本実施形態では、画像表示媒体として印刷物（紙）１０を対象とする。複写機等により複写されると、画像が歪むため、レンチキュラーレンズ１６を介して合成画像を眺めたときには、モアレ模様が不連続になったり消失したりする。このため、原本であるかその複写物であるかという真偽判定を効率よく行なうことができる。
【００３７】
○  本実施形態では、モアレ模様は直線形状（線形状）のモアレ縞であるため、モアレ模様が不連続になったり消失したりすることを効率よく把握することができる。従って、原本であるかその複写物であるかという真偽を効率よく行なうことができる。
【００３８】
また、上記実施形態は以下のように変更してもよい。
・  上記実施形態においては、印刷物１０に表示した合成画像には、１つの潜像用画像を埋め込んだ。これに限らず、合成画像には、複数の潜像用画像を埋め込むようにしてもよい。この場合、色要素の異なる潜像用画像を埋め込むようにしてもよい。具体的には、第１潜像用画像においては表示に用いる色要素のうちの特定の１色（例えばマゼンタ）のモアレ模様が出現するようにし、第２潜像用画像においては表示に用いる色要素のうち、第１潜像用画像とは異なる特定の１色（例えばシアン）によりモアレ模様が出現するようにしてもよい。
【００３９】
・  上記実施形態においては、印刷物１０は、ＣＭＹＫ方式の色要素を有する複数の網点によりカラー画像を表示した。これに限らず、他のカラーの表現方式、例えばＲＧＢ（レッド、グリーン、ブルー）方式の色要素を用いて画像を表示してもよい。
【００４０】
・  上記実施形態においては、印刷物１０の画像は、楕円形状の網点により表示した。これに限らず、網点の形状を、円形、長方形状、ダイヤ形状、三角形状等などの多角形又はこれらの組み合わせ形状で構成してもよい。この場合、表示画像と潜像用画像とを異なる形状の網点を用いることにより、異なるモアレ模様が出現するようにしてもよい。具体的には、コンピュータ端末２０は、合成画像データを生成した後、円形、長方形状、ダイヤ形状、多角形又はこれらの組み合わせ形状の網点に変換してモアレ模様を出現するような印刷データ等に変換する。
【００４１】
・  上記実施形態においては、コンピュータ端末２０は、合成画像表示データから印刷データを生成し、印刷装置である出力手段４０を用いて印刷を行なうことにより、画像表示媒体を生成した。これに代えて、出力手段４０をディスプレイ、液晶パネル又は電子ペーパーなどの表示装置とし、コンピュータ端末２０が、合成画像表示データから表示データを生成し、この表示データに基づいて表示装置に表示して、画像表示媒体を生成してもよい。なお、この場合には、レンチキュラーレンズをディスプレイ等の前面に配置することにより、モアレ模様を出現させればよい。
【００４２】
・  上記実施形態においては、レンチキュラーレンズ１６を用いて出現されるモアレ模様は、図１に示すように直線形状とした。これに限らず、出現させるモアレ模様は、例え
ば曲線や波線形状で構成されるようなものであってもよい。すなわち、直線、曲線、波線又はこれらの組み合わせ形状等の線形状のモアレ縞であれば、複写機における複写に起因してモアレ模様が不連続や消失することが容易に判明するので、複写物であることが容易に把握することができる。
【００４３】
・  上記実施形態においては、コンピュータ端末２０は、共通光学系としてのレンチキュラーレンズ１６を介して観察したときに、モアレ模様が出現するような画像データを生成した。モアレ模様が出現するために用いる共通光学系は、上述したレンチキュラーレンズ１６に限られない。例えば、シリンドリカルレンズ、楕円形レンズ、四角錐（ピラミッド型）レンズ、多角形レンズのいずれか１種類又はこれらを組み合わせて複数並べて構成したなど、線形性を増大させることができるレンズであればよい。すなわち、線形性のある形状で構成されたレンズであれば、網点の線形性を増大させるためモアレが出現しやすい。この場合、コンピュータ端末２０は、用いるレンズに合わせてモアレ模様が出現するような画像データを生成する。
【００４４】
・  上記実施形態においては、社員証を作るために、社員の写真の表示画像の上に、会社名を潜像用画像として印刷を行った。これに限らず、表示画像としては風景等の他の画像や文字画像などを用いてもよい。
【図面の簡単な説明】
【００４５】
【図１】実施形態における画像記録媒体の説明図であり、（ａ）は画像表示媒体に示された合成画像を示し、（ｂ）はレンチキュラーレンズを介して（ａ）を覗いたときの画像、（ｃ），（ｄ）は（ａ）を構成する表示画像、潜像用画像をそれぞれ示し、（ｅ），（ｆ）はレンチキュラーレンズを介して（ｃ），（ｄ）を覗いたときの画像である。
【図２】真偽を判定するときに用いるレンチキュラーレンズの説明図。
【図３】実施形態における画像記録媒体の画像データを生成する画像生成システムとしてのコンピュータの構成を示すブロック図。
【符号の説明】
【００４６】
１０…印刷物、１１，１１ａ，１１ｂ…網点、１６…共通光学系としてのレンチキュラーレンズ、２０…画像生成システムとしてのコンピュータ端末。
【図１】
2007068032.tif 000003
【図２】
2007068032.tif 000004
【図３】
2007068032.tif 000005